(57)【要約】      （修正有）【課題】縫目が外側に露出して目立たず、外見を損ねてしまうことがなく、使用者が歩行するときにもアウトソールを引きずった形とはならず、スムーズな歩行がおこなえるスリッパ、及びそのスリッパの製造方法を提供する。【解決手段】芯材２の上面２ａを被う上生地３と、芯材２の側周面２ｂを被う側周生地４と、芯材２の下面２ｃを被う下生地５とからなる外装体内に、芯材２が挿入され、下生地５の周端５ａと側周生地４の下周端４ａとがそれぞれ内側から縫い合わされ、側周生地４の上周端４ｂの両側端に、甲被部材６の取付端６ａが内側から縫い合わされ、上生地３の周端３ａの両側端に、甲被部材６の取付端６ａが外側から縫い合わされ、甲被部材６が縫い合わされた部分以外の上生地３の周端３ａと、側周生地４の上周端４ｂとがそれぞれ内側から縫い合わされたものにしている。【選択図】図２
2014014430.tif 000002
【特許請求の範囲】
【請求項１】
芯材（２）の上面（２ａ）を被う上生地（３）と、芯材（２）の側周面（２ｂ）を被う側周生地（４）と、芯材（２）の下面（２ｃ）を被う下生地（５）とからなる外装体（１）内に、芯材（２）が挿入され、下生地（５）の周端（５ａ）と側周生地（４）の下周端（４ａ）とがそれぞれ内側から縫い合わされ、側周生地（４）の上周端（４ｂ）の両側端に、甲被部材（６）の取付端（６ａ）が内側から縫い合わされ、上生地（３）の周端（３ａ）の両側端に、甲被部材（６）の取付端（６ａ）が外側から縫い合わされ、甲被部材（６）が縫い合わされた部分以外の上生地（３）の周端（３ａ）と、側周生地（４）の上周端（４ｂ）とがそれぞれ内側から縫い合わされていることを特徴とするスリッパ。
【請求項２】
前記芯材（２）は、爪先部（２ｔ）の下面を円弧面とし、この円弧面の接線と接地面とがなす角度（θ１ ）を１５〜４５°にし、踵部（２ｆ）の下面を円弧面とし、この円弧面の接線と接地面とがなす角度（θ２ ）を１５〜４５°にしていることを特徴とする請求項１記載のスリッパ。
【請求項３】
前記芯材（２）は、前半部の略中央部を接地面からの屈曲角（θ３ ）が４５〜７５°の範囲で屈曲自在にしていることを特徴とする請求項１又は２記載のスリッパ。
【請求項４】
前記芯材（２）を、略中央部で幅方向に二分割にしたことを特徴とする請求項１〜３の何れかに記載のスリッパ。
【請求項５】
前記甲被部材（６）を、繋ぎ合わせ自在の二分割体にしたことを特徴とする請求項１〜４の何れかに記載のスリッパ。
【請求項６】
芯材（２）の上面（２ａ）を被う上生地（３）と、芯材（２）の側周面（２ｂ）を被う側周生地（４）と、芯材（２）の下面（２ｃ）を被う下生地（５）とを裏返しにし、前記下生地（５）の周端（５ａ）に、側周生地（４）の下周端（４ａ）を縫い合わせ、前記側周生地（４）の上周端（４ｂ）の両側位置に、繋ぎ合わせ自在の二分割体とした甲被部材（６）の取付端（６ａ）をそれぞれ縫い合わせ、前記上生地（３）の周端（３ａ）に、甲被部材（６）を縫い合わせた部分を除いて側周生地（４）の上周端（４ｂ）を縫い合わせることにより、芯材（２）の外装体（１）を作製してからこの外装体（１）を表返しにし、上生地（３）と側周生地（４）を縫い合わせなかった部分（Ｐ）から、前記芯材（２）の前半部の略中央部を屈曲させて、前記外装体（１）内に芯材（２）を挿入し、この屈曲させた芯材（２）を元の状態に戻してから、前記縫い合わせなかった部分（Ｐ）を縫い合わせ、前記二分割体とした甲被部材（６）の先端側どうしを繋ぎ合わせたことを特徴とするスリッパの製造方法。
【請求項７】
芯材（２）の上面（２ａ）を被う上生地（３）と、芯材（２）の側周面（２ｂ）を被う側周生地（４）と、芯材（２）の下面（２ｃ）を被う下生地（５）とを裏返しにし、前記下生地（５）の周端（５ａ）に、側周生地（４）の下周端（４ａ）を縫い合わせ、前記側周生地（４）の上周端（４ｂ）の両側位置に、繋ぎ合わせ自在の二分割体とした甲被部材（６）の取付端（６ａ）をそれぞれ縫い合わせ、前記上生地（３）の周端（３ａ）に、甲被部材（６）を縫い合わせた部分を除いて側周生地（４）の上周端（４ｂ）を縫い合わせることにより、芯材（２）の外装体（１）を作製してからこの外装体（１）を表返しにし、上生地（３）と側周生地（４）を縫い合わせなかった部分（Ｐ）から、前記二分割にした芯材（２）を前記外装体（１）内に挿入してから、この芯材（２）の二分割にした部分を互いに接着させてから、前記縫い合わせなかった部分（Ｐ）を縫い合わせ、前記二分割体とした甲被部材（６）の先端側どうしを繋ぎ合わせたことを特徴とするスリッパの製造方法。
【発明の詳細な説明】
【技術分野】
【０００１】
この発明は、縫目が外側に露出して外見を損ねることなく、しかもスムーズな歩行がおこなえるスリッパ、及びそのスリッパの製造方法に関するものである。
【背景技術】
【０００２】
従来、この種のスリッパは、例えば図１０、１１に示すように、足を支持する芯材１１と、足の甲を覆う甲被部材１２とによって構成され、芯材１１は、被覆部材１３により被覆されたものにしている。この被覆部材１３は、芯材１１の上面１１ａを覆う上部被覆部１４と、芯材１１の底面１１ｂと側周面１１ｃを覆う側底部被覆部１５により構成されている。そして、上部被覆部１４と側底部被覆部１５とを外側から縫い合わせることによって、芯材１１の全体を覆ったものにしている（特許文献１）。
【０００３】
そして、前記スリッパの芯材１１は、発泡ウレタン等の軽量で適度なクッション性を有し形崩れのしにくい素材で形成されたものにしており、足の裏に対応する前記上面１１ａと、床に接する前記底面１１ｂと、前記側周面１１ｃにより形作られたものにしている。
【先行技術文献】
【特許文献】
【０００４】
【特許文献１】実用新案登録第３０４９１８９号公報
【発明の概要】
【発明が解決しようとする課題】
【０００５】
しかしながら、上記従来のスリッパは、上部被覆部１４と側底部被覆部１５とを外側から縫い合わせることによって、芯材１１の全体を覆ったものにしているため、縫目Ｓが外側に露出して目立ち、外見を損ねるという問題点を有していた。
【０００６】
さらに、上記従来のスリッパは、芯材１１の床に面する底面１１ｂを、爪先部分から踵部分まで同一平面にしているため、使用者が歩行するときにはアウトソールを引きずった形となり、スムーズな歩行がおこないにくいという問題点を有していた。
【０００７】
そこで、この発明は、上記従来のスリッパの問題点を解決するためになされたものであり、縫目が外側に露出して目立たず、外見を損ねてしまうことがなく、使用者が歩行するときにもアウトソールを引きずった形とはならず、スムーズな歩行がおこなえるスリッパ、及びそのスリッパの製造方法を提供することを目的としてなされたものである。
【課題を解決するための手段】
【０００８】
そのため、この発明のスリッパは、芯材２の上面２ａを被う上生地３と、芯材２の側周面２ｂを被う側周生地４と、芯材２の下面２ｃを被う下生地５とからなる外装体１内に、芯材２が挿入され、下生地５の周端５ａと側周生地４の下周端４ａとがそれぞれ内側から縫い合わされ、側周生地４の上周端４ｂの両側端に、甲被部材６の取付端６ａが内側から縫い合わされ、上生地３の周端３ａの両側端に、甲被部材６の取付端６ａが外側から縫い合わされ、甲被部材６が縫い合わされた部分以外の上生地３の周端３ａと、側周生地４の上周端４ｂとがそれぞれ内側から縫い合わされたものにしている。
【０００９】
この発明のスリッパにおいて、前記芯材２は、爪先部２ｔの下面を円弧面とし、この円弧面の接線と接地面とがなす角度θ１ を１５〜４５°にし、踵部２ｆの下面を円弧面とし、この円弧面の接線と接地面とがなす角度θ２ を１５〜４５°にしている。
【００１０】
この発明のスリッパにおいて、前記芯材２は、前半部の略中央部を接地面からの屈曲角θ３ が４５〜７５°の範囲で屈曲自在にしている。
【００１１】
この発明のスリッパにおいて、前記芯材２を、略中央部で幅方向に二分割にしたものにしている。
【００１２】
この発明のスリッパにおいて、前記甲被部材６を、繋ぎ合わせ自在の二分割体にしたものにしている。
【００１３】
さらに、この発明のスリッパの製造方法は、芯材２の上面２ａを被う上生地３と、芯材２の側周面２ｂを被う側周生地４と、芯材２の下面２ｃを被う下生地５とを裏返しにし、前記下生地５の周端５ａに、側周生地４の下周端４ａを縫い合わせ、前記側周生地４の上周端４ｂの両側位置に、繋ぎ合わせ自在の二分割体とした甲被部材６の取付端６ａをそれぞれ縫い合わせ、前記上生地３の周端３ａに、甲被部材６を縫い合わせた部分を除いて側周生地４の上周端４ｂを縫い合わせることにより、芯材２の外装体１を作製してからこの外装体１を表返しにし、上生地３と側周生地４を縫い合わせなかった部分Ｐから、前記芯材２の前半部の略中央部を屈曲させて、前記外装体１内に芯材２を挿入し、この屈曲させた芯材２を元の状態に戻してから、前記縫い合わせなかった部分Ｐを縫い合わせ、前記二分割体とした甲被部材６の先端側どうしを繋ぎ合わせたものにしている。
【００１４】
また、この発明のスリッパの製造方法は、芯材２の上面２ａを被う上生地３と、芯材２の側周面２ｂを被う側周生地４と、芯材２の下面２ｃを被う下生地５とを裏返しにし、前記下生地５の周端５ａに、側周生地４の下周端４ａを縫い合わせ、前記側周生地４の上周端４ｂの両側位置に、繋ぎ合わせ自在の二分割体とした甲被部材６の取付端６ａをそれぞれ縫い合わせ、前記上生地３の周端３ａに、甲被部材６を縫い合わせた部分を除いて側周生地４の上周端４ｂを縫い合わせることにより、芯材２の外装体１を作製してからこの外装体１を表返しにし、上生地３と側周生地４を縫い合わせなかった部分Ｐから、前記二分割にした芯材２を前記外装体１内に挿入し、この芯材２の二分割にした部分を互いに接着させてから、前記縫い合わせなかった部分Ｐを縫い合わせ、前記二分割体とした甲被部材６の先端側どうしを繋ぎ合わせたものにしている。
【発明の効果】
【００１５】
この発明のスリッパは、以上に述べたように構成されているため、縫目が外側に露出して目立つことがなく、外見を損ねてしまうことがなく、使用者が歩行するときにもアウトソールを引きずった形とはならず、スムーズな歩行がおこなえるものになった。
【００１６】
さらに、この発明のスリッパの製造方法は、外見を損ねることなく、スムーズな歩行がおこなえるスリッパを、特殊な機械を使用することなく、簡単に製造することができるものになった。
【図面の簡単な説明】
【００１７】
【図１】この発明のスリッパの斜視図である。
【図２】この発明のスリッパの分解斜視図である。
【図３】この発明のスリッパの芯材の側面図である。
【図４】この発明のスリッパの芯材の他の実施例の斜視図である。
【図５】この発明のスリッパの外装体の裏返した状態の斜視図である。
【図６】この発明のスリッパの外装体の表返した状態の平面図である。
【図７】この発明のスリッパの外装体内に芯材を挿入する最初の手順を示す説明図である。
【図８】この発明のスリッパの外装体内に芯材を挿入する次の手順を示す説明図である。
【図９】この発明のスリッパの外装体内に芯材を挿入し終わった状態を示す説明図である。
【図１０】従来のスリッパの斜視図である。
【図１１】従来のスリッパの分解斜視図である。
【発明を実施するための形態】
【００１８】
以下、この発明のスリッパ及びその製造方法を実施するための形態を、図面に基づいて詳細に説明する。
【００１９】
この発明のスリッパは、外装体１と芯材２から構成されている。外装体１は、芯材２の上面２ａを被う上生地３と、芯材２の側周面２ｂを被う側周生地４と、芯材２の下面２ｃを被う下生地５とからなっており、上生地３の両側端と側周生地４の両側端の間に、使用者の足の甲を被う甲被部材６が取り付けられている。芯材２は、発泡ウレタン等の軽量で適度なクッション性を有し形崩れのしにくい素材で形成されたものにしており、前記外装体１内に挿入されている。甲被部材６は、外生地７と内生地８を重ね合わせなるものにしている。
【００２０】
そして、この発明のスリッパは、前記下生地５の周端５ａと側周生地４の下周端４ａとがそれぞれ内側から縫い合わされている。前記側周生地４の上周端４ｂの両側端には、甲被部材６の取付端６ａの外生地７が内側から縫い合わされている。前記上生地３の周端３ａの両側端には、甲被部材６の取付端６ａの内生地８が外側から縫い合わされている。さらに、甲被部材６が縫い合わされた部分以外の上生地３の周端３ａと、側周生地４の上周端４ｂとがそれぞれ内側から縫い合わされている。
【００２１】
したがって、この発明のスリッパでは、上記したように内側から縫い合わされた個所は、縫目が外側に露出して目立たないので外見を損ねてしまうことがなく、上記したように外側から縫い合わされた個所は、甲被部材６の内側に隠れ、縫目が外側に露出して目立たないので、外見を損ねてしまうことがない。
【００２２】
さらに、この発明のスリッパにおいて、前記芯材２は、爪先部２ｔの下面を円弧面とし、この円弧面の接線と接地面とがなす角度θ１ を１５〜４５°にし、踵部２ｆの下面を円弧面とし、この円弧面の接線と接地面とがなす角度θ２ を１５〜４５°にしている。このようにすると、使用者の歩行時の蹴りだし、着地が抵抗感なく行え、歩行時に、踵、小指、親指の順にかかっていく重心移動も自然な形でおこなえ、スムーズな歩行がおこなえるものになる。
【００２３】
そして、この発明のスリッパを後に述べる製造方法で製造するためには、前記芯材２は、前半部の略中央部を接地面からの屈曲角θ３ が４５〜７５°の範囲で屈曲自在にするのが好ましい。
【００２４】
さらに、この発明のスリッパを後に述べる製造方法で製造するためには、前記芯材２は、略中央部で幅方向に二分割にしたものにするのが好ましい。なお、前記芯材２は、二分割にして、外装体１内に挿入した後、この外装体１内で接着して連結するので、分割面２ｄを傾斜面にして接着面積を広くして強固に接着できるようにしている。
【００２５】
また、この発明のスリッパを後に述べる製造方法で製造するためには、前記甲被部材６は、繋ぎ合わせ自在の二分割体にするのが好ましい。繋ぎ合わせの構造は、図示したものでは、一方の先端６ｂ側にボタン孔９を設け、他方の先端６ｂ側にボタン１０を設けたものにしているが、面接着テープ（図示せず）などを使用したものにしてもよい。
【００２６】
以上に述べたこの発明のスリッパを製造するには、次に述べるようにして行う。
【００２７】
先ず、芯材２の上面２ａを被う上生地３と、芯材２の側周面２ｂを被う側周生地４と、芯材２の下面２ｃを被う下生地５とを裏返しにする。
【００２８】
次に、下生地５の周端５ａに、側周生地４の下周端４ａを縫い合わせる。
【００２９】
そして、側周生地４の上周端４ｂの両側位置に、繋ぎ合わせ自在の二分割体とした甲被部材６の取付端６ａをそれぞれ縫い合わせる。
【００３０】
さらに、上生地３の周端３ａに、甲被部材６を縫い合わせた部分を除いて、側周生地４の上周端４ｂを縫い合わせることにより、図５に示したように芯材２の外装体１を作製する。
【００３１】
次に、外装体１を、図６に示したように表返しにし、上生地３と側周生地４を縫い合わせなかった部分Ｐの一方から、この外装体１内に芯材２を挿入してから、前記縫い合わせなかった部分Ｐを縫い合わせる。この場合、芯材を、図３に仮想線で示したように、前半部の略中央部を屈曲自在にしたものでは、図７〜９に示したように、前半部の略中央部を屈曲させた状態にして外装体１内に挿入する。また、芯材を、図４に示したように、二分割にしたものでは、図示していないが、その片方ずつを外装体１内に挿入してから、この芯材２の二分割にした部分を互いに接着させる。
【００３２】
最後に、甲被部材６の一方の先端６ｂ側に設けたボタン孔９に、甲被部材６の他方の先端６ｂ側に設けたボタン１０を掛けることにより、二分割体とした甲被部材６の先端側どうしを繋ぎ合わせる。
【００３３】
以上のようにして製造されたこの発明のスリッパは、縫目が外側に露出して目立たず、外見を損ねてしまうことがなく、使用者が歩行するときにもアウトソールを引きずった形とはならず、スムーズな歩行がおこなえるものになる。
【００３４】
さらに、この発明のスリッパの製造方法は、外見を損ねることなく、スムーズな歩行がおこなえるスリッパを、特殊な機械を使用することなく、簡単に製造することができるものになる。
【符号の説明】
【００３５】
１  外装体
２  芯材
２ａ  上面
２ｂ  側周面
２ｃ  下面
３  上生地
３ａ  周端
４  側周生地
４ａ  下周端
４ｂ  上周端
５  下生地
５ａ  周端
６  甲被部材
６ａ  取付端
【図１】
2014014430.tif 000003
【図２】
2014014430.tif 000004
【図３】
2014014430.tif 000005
【図４】
2014014430.tif 000006
【図５】
2014014430.tif 000007
【図６】
2014014430.tif 000008
【図７】
2014014430.tif 000009
【図８】
2014014430.tif 000010
【図９】
2014014430.tif 000011
【図１０】
2014014430.tif 000012
【図１１】
2014014430.tif 000013